(57)【要約】【課題】進出機構や閉塞部材の破損を防止できる間仕切パネルを提供する。【解決手段】パネル本体２０と閉塞部材１２との間に設けられ、閉塞部材１２がパネル本体２０側に押し込まれることにより閉塞部材１２を床面Ｆに向けて押し付ける進出機構１３と、を備えた間仕切パネル１であって、進出機構１３は、パネル本体２０と閉塞部材１２との一方に設けられ、一方端が傾動可能な傾斜片２１と、パネル本体２０と閉塞部材１２との他方に設けられて傾斜片２１に沿って案内される被案内部材１５と、傾斜片２１を被案内部材１５方向に付勢する付勢手段２４と、を備えている。【選択図】図６
2019135350.tif 000002
【特許請求の範囲】
【請求項１】
天井に配設されたレールに沿って走行可能に吊支されたパネル本体と、前記パネル本体の進行方向に突出した状態で前記パネル本体の少なくとも上端部または下端部に収納される閉塞部材と、前記パネル本体と前記閉塞部材との間に設けられ該閉塞部材が前記パネル本体側に押し込まれることにより該閉塞部材を天井面または床面に向けて押し付ける進出機構と、を備えた間仕切パネルであって、
前記進出機構は、前記パネル本体と前記閉塞部材との一方に設けられ、一方端が傾動可能な傾斜片と、前記パネル本体と前記閉塞部材との他方に設けられて前記傾斜片に沿って案内される被案内部材と、前記傾斜片を前記被案内部材方向に付勢する付勢手段と、を備えていることを特徴とする間仕切パネル。
【請求項２】
前記進出機構は、前記被案内部材を案内する前における前記傾斜片の傾斜状態を保持する規制手段を備えていることを特徴とする請求項１に記載の間仕切パネル。
【請求項３】
前記傾斜片の他方端には該傾斜片とともに平行リンクを構成する水平片が接続されていることを特徴とする請求項１または２に記載の間仕切パネル。
【請求項４】
前記付勢手段は、前記水平片を前記パネル本体から遠ざける方向に押圧する押しバネであることを特徴とする請求項３に記載の間仕切パネル。
【請求項５】
前記被案内部材は、回転可能なローラにより構成されていることを特徴とする請求項１ないし４のいずれかに記載の間仕切パネル。
【発明の詳細な説明】
【技術分野】
【０００１】
本発明は、オフィス、大会場、会議室等を所定の区画に仕切って使用するための間仕切パネルに関する。
【背景技術】
【０００２】
オフィスや会議室・病院等の室内空間を用途に合わせて区画して分割して使用する場合に、天井面に固定されたレールに沿って移動可能に吊支される間仕切パネルが用いられている。また、パネル本体内部における上端及び下端に収納された閉塞部材をパネル本体内部に設けられた進出機構により天井方向または床方向へそれぞれ進出させ、パネル本体と天井及び床との間の隙間を塞ぐことができるものがある（例えば特許文献１）。
【０００３】
特許文献１に記載の進出機構にあっては、巾木部材（閉塞部材）は初期状態においてパネル本体の幅方向に一部突出しており、パネル本体側に下面が傾斜案内面となった案内部材が固定され、巾木部材（閉塞部材）の上面側に傾斜案内面を転動するローラが設けられており、巾木部材が隣の間仕切パネル等に押し付けられる等してパネル本体の幅方向に移動した際、ローラが傾斜案内面に案内され、この案内に伴い巾木部材が天井方向または床方向へそれぞれ進出されるようになっている。
【先行技術文献】
【特許文献】
【０００４】
【特許文献１】特開２００８−１８００６３号公報（第８頁、第１２図）
【発明の概要】
【発明が解決しようとする課題】
【０００５】
特許文献１にあっては、傾斜案内面の終端には凹部が形成されており、凹部まで案内されたローラを凹部において安定的に保持可能となっている。そのため、巾木部材の下端と床面との間を完全に塞ぐためには、傾斜案内面の凹部にローラが位置する状態における巾木部材の進出量を高い精度で設定しておく必要がある。また、仮に巾木部材を進出させる床面上に不陸が存在する場合や、床面上に物体が落ちている場合等、巾木部材の所望の進出が阻害されて、進出機構や巾木部材（閉塞部材）に掛かる負荷が大きく、破損に繋がる虞があった。
【０００６】
本発明は、このような問題点に着目してなされたもので、進出機構や閉塞部材の破損を防止できる間仕切パネルを提供することを目的とする。
【課題を解決するための手段】
【０００７】
前記課題を解決するために、本発明の間仕切パネルは、
天井に配設されたレールに沿って走行可能に吊支されたパネル本体と、前記パネル本体の進行方向に突出した状態で前記パネル本体の少なくとも上端部または下端部に収納される閉塞部材と、前記パネル本体と前記閉塞部材との間に設けられ該閉塞部材が前記パネル本体側に押し込まれることにより該閉塞部材を天井面または床面に向けて押し付ける進出機構と、を備えた間仕切パネルであって、
前記進出機構は、前記パネル本体と前記閉塞部材との一方に設けられ、一方端が傾動可能な傾斜片と、前記パネル本体と前記閉塞部材との他方に設けられて前記傾斜片に沿って案内される被案内部材と、前記傾斜片を前記被案内部材方向に付勢する付勢手段と、を備えていることを特徴としている。
この特徴によれば、仮に閉塞部材を進出させる床面上に微妙な凸部が存在する等床面が不陸である場合や、床面上に物体が落ちている場合等、閉塞部材の進出が阻害されてしまう際にあっても、被案内部材の押圧により傾斜片が傾動し、かつ付勢手段により傾斜片が付勢されることで、閉塞部材の進出量が調整され、床面の不陸に対応した閉塞が可能であるとともに、進出機構や閉塞部材の破損を防止することができる。
【０００８】
前記進出機構は、前記被案内部材を案内する前における前記傾斜片の傾斜状態を保持する規制手段を備えていることを特徴としている。
この特徴によれば、被案内部材を案内し易い角度に傾斜片を保持でき、閉塞部材の操作性を高めることができる。
【０００９】
前記傾斜片の他方端には該傾斜片とともに平行リンクを構成する水平片が接続されていることを特徴としている。
この特徴によれば、平行リンクの作用により傾斜片の傾動に関わらずに水平片の角度を一定に保持でき、被案内部材を水平片上に安定的に保持できる。
【００１０】
前記付勢手段は、前記水平片を前記パネル本体から遠ざける方向に押圧する押しバネであることを特徴としている。
この特徴によれば、水平片を介して被案内部材に付勢力を伝達させ易く、被案内部材にかかる負荷を効果的に吸収できる。
【００１１】
前記被案内部材は、回転可能なローラにより構成されていることを特徴としている。
この特徴によれば、傾斜片に被案内部材を案内させる際における抵抗を抑制し、塞部材の操作性を高めることができる。
【図面の簡単な説明】
【００１２】
【図１】本発明の実施例１における間仕切パネルを示す正面図である。
【図２】（ａ）は間仕切パネルの構造を示す斜視図であり、（ｂ）は同じく間仕切パネルの構造を示す分解斜視図である。
【図３】上部閉塞部材及び下部閉塞部材の収納状態を示す縦断面図である。
【図４】上部閉塞部材及び下部閉塞部材の閉塞状態を示す側面視における断面図である。
【図５】パネル本体下部に設置された進出機構を示す模式図である。
【図６】左側の進出機構を拡大して示す模式図である。
【図７】（ａ）〜（ｄ）は下部閉塞部材の進出動作における進出機構の動きを示した模式図である。
【図８】（ａ）〜（ｃ）は床面に不陸が存在している場合における下部閉塞部材の進出動作を示した模式図である。
【図９】実施例２における進出機構を示す模式図である。
【発明を実施するための形態】
【００１３】
本発明に係る間仕切パネルを実施するための形態を実施例に基づいて以下に説明する。
【実施例１】
【００１４】
実施例１に係る間仕切パネルにつき、図１から図８を参照して説明する。以下、図１の紙面手前側及び図３の紙面右側を移動間仕切装置の正面側（前方側）とし、その前方側から見たときの上下左右方向を基準として説明する。
【００１５】
間仕切パネル１は、例えば、オフィス、会議室、ショールーム、店舗等の建物内の室内を所定の区画に仕切るために用いられるものであり、図１に示されるように、本実施例では、複数の間仕切パネル１，１，…を組み合わせて移動間仕切装置１０を構成している。
【００１６】
移動間仕切装置１０は、室内空間の天井面Ｒに設けられるレール３に沿って移動可能な一対の吊支部材９，９により上端が吊支される複数の間仕切パネル１，１，…から主に構成され、間仕切パネル１，１，…をレール３に沿って所定の位置まで手動で順次移動させ、間仕切パネル１，１，…を左右方向（進行方向）に一列に連接させることができるとともに、後述する上部閉塞部材１１及び下部閉塞部材１２がレール３及び床面Ｆに向けて押し付けられることにより天井面Ｒから床面Ｆに亘って室内空間を仕切ることができるようになっている。
【００１７】
図２（ａ）及び図２（ｂ）に示されるように、間仕切パネル１は、前後に間隔をおいて対向配置される一対のガラスパネル４，４（透光パネル部材）と、ガラスパネル４，４を一体に保持する枠部材５（上部フレーム６、縦フレーム７，７及び下部フレーム８）と、枠部材５の上下端部に収納される上部閉塞部材１１及び下部閉塞部材１２と、上部閉塞部材１１及び下部閉塞部材１２を進出動作させる進出機構１３，１３（図５参照）と、から主に構成される二重ガラスパネル構造を成し、パネル材として透明のガラスパネル４が使用されることにより、間仕切パネル１によって仕切られる室内空間の開放感を演出することができるとともに、強度や遮音性に優れている。尚、本実施例では、ガラスパネル４，４と枠部材５とが一体化されてパネル本体２０を構成している。
【００１８】
図３に示されるように、先ずガラスパネル４の構造について説明する。ガラスパネル４は、２枚の透明な板ガラス４１，４１を重合して強化することにより合わせガラスとなっている。尚、板ガラス４１，４１は、透明度の高いポリカーボネートやアクリル樹脂製を使用してもよい。
【００１９】
次いで、枠部材５の構造について説明する。図２（ａ）及び図２（ｂ）に示されるように、枠部材５は、ガラスパネル４，４の上端部に沿って取付けられる上部フレーム６と、上端部が上部フレーム６の左右両端部に接続される一対の縦フレーム７，７と、ガラスパネル４，４の下端部に沿って取付けられ、左右両端部が一対の縦フレーム７，７の下端部に接続される下部フレーム８と、から主に構成され、一対のガラスパネル４，４の上下左右端に沿って配置される、いわゆる四方枠形状を成している。
【００２０】
図３に示されるように、上部フレーム６は、アルミ合金等の金属製の押出成形品であり、下面側の前後に長手方向に沿って設けられる凹溝部６１，６１と、上面側の前後略中央部に長手方向に沿って設けられる上部チャンネル部６２と、を備えている。凹溝部６１は、側方から見て下向きコ字状を成し、ガラスパネル４，４の上端部を上方から嵌合している。上部チャンネル部６２は、側方から見て上向きコ字状を成し、上部閉塞部材１１を収容している。
【００２１】
下部フレーム８は、アルミ合金等の金属製の押出成形品であり、上面側の前後に長手方向に沿って設けられる凹溝部８１，８１と、下面側の前後略中央部に長手方向に沿って設けられる下部チャンネル部８２と、を備えている。凹溝部８１は、側方から見て上向きコ字状を成し、ガラスパネル４，４の下端部を下方から嵌合している。下部チャンネル部８２は、側方から見て下向きコ字状を成し、下部閉塞部材１２を収容している。
【００２２】
図２（ａ）及び図２（ｂ）に示されるように、縦フレーム７は、アルミ合金等の金属製の押出成形品であり、ガラスパネル４，４の間に配設されている。この縦フレーム７の左右両側には、側部カバー部材７６が取付けられている。隣接した間仕切パネル１，１が左右方向に連設される際には、側部カバー部材７６同士が直接接触するため、ガラスパネル４，４の両側端面を保護できるようになっている。また、側部カバー部材７６にはゴム等の弾性部材（図示略）が設けられており、隣接した間仕切パネル１，１が左右方向に連設される際には、該弾性部材が圧接されるため、隣接する間仕切パネル１，１間における密閉性及び遮音性が高められている。
【００２３】
次に、上部閉塞部材１１及び下部閉塞部材１２について説明する。図２〜図４に示されるように、上部閉塞部材１１は、アルミ合金等の金属製の押出成形品であり、上部フレーム６と略同一寸法で左右方向に延びており、側方から見て下向きコ字形状を成している。下部閉塞部材１２は、アルミ合金等の金属製の押出成形品であり、下部フレーム８と略同一寸法で左右方向に延びており、側方から見て上向きコ字形状を成している。
【００２４】
図５に示されるように、上部閉塞部材１１は、上部フレーム６の上部チャンネル部６２に収納された状態において、パネル本体２０よりも左側（間仕切り位置への進行方向）に向かって左端部（先端部）が突出している。尚、下部閉塞部材１２も同様に、下部チャンネル部８２に収納された状態において、パネル本体２０よりも左側（間仕切り位置への進行方向）に向かって左端部（先端部）が突出している（図１参照）。
【００２５】
図３及び図４に示されるように、上部閉塞部材１１及び下部閉塞部材１２は、レール３及び床面Ｆに対して進退動作するようになっている。また、上部閉塞部材１１の上面側の前後及び下部閉塞部材１２の下面側の前後には、長手方向に沿って延びるゴム製等のシール部材１４が固着されており、特に図４に示されるように、上部閉塞部材１１及び下部閉塞部材１２がレール３及び床面Ｆに対して延出した状態にあっては、シール部材１４がそれぞれ上部閉塞部材１１及び下部閉塞部材１２とレール３の下面及び床面Ｆとの間で圧接され、密閉性及び遮音性が高められる。
【００２６】
次に、進出機構１３の構造について説明する。尚、上下の進出機構１３は、上下対称をなす略同一構成であるため、ここでは、下方側の進出機構１３について説明し、上方側の進出機構１３の説明を省略する。
【００２７】
図５に示されるように、進出機構１３は、下部チャンネル部８２と下部閉塞部材１２との間に配設される被案内部材としてのローラ装置１５，１５と、案内部材としてのリンク機構１６，１６とを備えている。ローラ装置１５，１５は下部閉塞部材１２の左右両側に配設されており、リンク機構１６，１６は下部チャンネル部８２の左右両側に配設されている。
【００２８】
先ず、ローラ装置１５，１５について説明する。図６に示されるように、ローラ装置１５は、下部閉塞部材１２に固定されるフォーク１７と、フォーク１７に固定され前後方向に延びる軸部材１８により回動可能に軸支されるローラ１９と、を備えている。ローラ１９は後述する傾斜片２１に沿って案内される。
【００２９】
次に、リンク機構１６，１６について説明する。図６に示されるように、リンク機構１６は、傾斜片２１と水平片２２とリンク片２３と付勢手段である押しバネ２４と、規制手段であるストッパー部材２５とから構成されており、これら傾斜片２１と水平片２２とリンク片２３とは、パネル本体２０側（ここでは上面側）でそれぞれヒンジ２６，２６により相対的に傾動可能に接続されている。
【００３０】
傾斜片２１は、金属製の板材より成り、一方端が下部チャンネル部８２にヒンジ２６により傾動可能に接続され、他方端が水平片２２とヒンジ２６により接続されている。リンク片２３は、金属製の板材より成り、下部チャンネル部８２の長手方向において水平片２２の長手寸法と同長さで傾斜片２１と離間して配置され、一方端が下部チャンネル部８２にヒンジ２６により傾動可能に接続されている。また、リンク片２３は、傾斜片２１と長手方向に同寸法かつ同角度に設置されており、傾斜片２１と水平片２２とリンク片２３と下部チャンネル部８２とにより平行リンクが構成されている。
【００３１】
また、傾斜片２１と水平片２２とリンク片２３と下部チャンネル部８２とにより囲まれた空間には、上下方向に延び、一方端が下部チャンネル部８２に固定された押しバネ２４が配置されており、押しバネ２４が水平片２２を下方に付勢している。
【００３２】
水平片２２は、金属製の板材より成り、長手方向における両端に屈曲形成された段部２２ａ，２２ｂを備え、段部２２ａ，２２ｂ同士の間には段部２２ａ，２２ｂと平行な面を有する凸部２２ｃを備えている。これら段部２２ａ，２２ｂは、同じ高さに形成されており、それぞれの段部２２ａ，２２ｂの内面側に傾斜片２１とリンク片２３とが接続されている。
【００３３】
また、傾斜片２１側の段部２２ａの下部閉塞部材１２側の面は、下部チャンネル部８２と平行に形成されており、後に詳述するが、ローラ１９が水平な面である段部２２ａの面下に位置することで、下部閉塞部材１２が下方への進出状態で安定する。
【００３４】
下部チャンネル部８２には、リンク機構１６のリンク片２３側に隣接してストッパー部材２５が固定されている。ストッパー部材２５は、略Ｓ字状に屈曲しており、一方端側の平面状の片２５ａが下部チャンネル部８２に固定され、該片２５ａから垂直に屈曲する起立片２５ｂの自由端側には水平に屈曲する規制片２５ｃがリンク機構１６側に延出している。規制片２５ｃは、水平片２２におけるリンク片２３側の段部２２ｂの下方に重なって配置されており、押しバネ２４により下部チャンネル部８２から離間するように付勢される水平片２２の移動を規制可能となっている。
【００３５】
次に、下部閉塞部材１２の進出動作について説明する。尚、ここでは、下部閉塞部材１２の左端側のみを図示して説明し、下部閉塞部材１２の右端側の図示及び説明を省略する。
【００３６】
図７（ａ）に示されるように、間仕切パネル１を左方向に移動させると、パネル本体２０の左側に突出する下部閉塞部材１２の左端部が先行する間仕切パネル１’に接触する。尚、図７（ａ）は、下部閉塞部材１２の左端部が先行する間仕切パネル１’に接触した直後、すなわち下部閉塞部材１２にパネル本体２０側（右側）に押し込まれる力が働いていない状態を示している。
【００３７】
次いで、図７（ｂ）及び（ｃ）に示されるように、図７（ａ）の状態からパネル本体２０を左側に移動させると、下部閉塞部材１２がパネル本体２０側に押し込まれる。下部閉塞部材１２がパネル本体２０側に押し込まれると、ローラ１９が傾斜片２１の下部閉塞部材１２側の面に案内される。この案内に伴い下部閉塞部材１２が床面Ｆ方向へ進出動作する。
【００３８】
図７（ｄ）に示されるように、ローラ１９が水平片２２の段部２２ａまで到達すると、下部閉塞部材１２の進出が完了するとともに、ローラ１９が水平に形成された水平片２２の段部２２ａにて安定し、下部閉塞部材１２の下方への進出状態が保持される。
【００３９】
また、水平片２２の凸部２２ｃにより、ローラ１９によるストッパー部材２５方向への移動を規制できる。言い換えると、ローラ１９が水平片２２の凸部２２ｃに当接することで、下部閉塞部材１２の過挿入が防止され、下部閉塞部材１２はパネル本体２０の進行方向における幅方向に収まった状態で位置決めすることができる。
【００４０】
図７（ｃ）に示されるように、進出動作の過程において、下部閉塞部材１２が床面Ｆに当接した状態において、下部閉塞部材１２の左端部はパネル本体２０の左側に突出している。そのため、図７（ｄ）に示されるように、パネル本体２０側に更に押し込まれることで、ローラ１９が水平片２２を押圧して押しバネ２４が圧縮される。この押しバネ２４の弾性復帰力により下部閉塞部材１２が床面Ｆに圧接されることになり、下部閉塞部材１２によるパネル本体２０の下方の閉塞状態が保持される。また、押しバネ２４の圧縮時には水平片２２の段部２２ｂからストッパー部材２５の規制片２５ｃが離間する。
【００４１】
同様の構成で上部閉塞部材１１も進出機構１３により天井面Ｒ側に進出し、パネル本体２０の上方を閉塞する。
【００４２】
続いて図８では、床面Ｆに不陸が存在する場合、ここでは床面Ｆに凸部Ｐが存在している場合における下部閉塞部材１２の進出動作について説明する。
【００４３】
図８（ａ）では、進出機構１３により進出された下部閉塞部材１２が床面より上に存在する凸部Ｐに当接し、下部閉塞部材１２が床面Ｆに対して幅方向に渡って当接していない状態を示している。この状態において、下部閉塞部材１２の左端部はパネル本体２０の左側に突出している。そのため、図８（ｂ）及び（ｃ）に示されるように、下部閉塞部材１２が更にパネル本体２０側に押し込まれると、押しバネ２４が圧縮され、水平片２２と下部チャンネル部８２の下部閉塞部材１２側の面８２ａとの離間距離が小さくなる。即ち、図７で示したように進出動作により下部閉塞部材１２が幅方向に渡って床面Ｆに当接した状態における水平片２２と下部チャンネル部８２の下部閉塞部材１２側の面８２ａとの離間距離に比べて、凸部Ｐの高さ寸法を吸収した分、これらの離間距離が小さくなる。
【００４４】
このように、仮に下部閉塞部材１２を進出させる床面Ｆ上に微妙な凸部Ｐ等が存在する場合や、床面Ｆ上に物体が落ちている場合等、下部閉塞部材１２の所定長さの進出動作が阻害されてしまう際にあっても、ローラ１９の押圧により傾斜片２１が傾動することで、下部閉塞部材１２の進出量が調整され、リンク機構１６や下部閉塞部材１２の破損を防止することができる。
【００４５】
また、床面Ｆが水平でない場合にも、下部閉塞部材１２の進出量が調整されることで不陸に対応した閉塞が可能である。尚、下部チャンネル部８２及び下部閉塞部材１２の長手方向に離間して進出機構１３が複数設けられているため、それぞれの進出機構１３において水平片２２と下部チャンネル部８２との離間距離が調整されるため、不陸の調整を効果的に行うことができるとともに、下部閉塞部材１２が左右方向において傾きにくくなっている。
【００４６】
また、押しバネ２４は、下部閉塞部材１２の進出量に関わらず、水平片２２に付勢力を発揮することができるため、床面Ｆが水平でない場合であっても、床面Ｆ方向への付勢力を確保することができる。
【００４７】
図６に示されるように、下部チャンネル部８２と下部閉塞部材１２とに架けて、下部チャンネル部８２と下部閉塞部材１２とを近接せしめる付勢力を発揮する引きバネ３０が設けられている。引きバネ３０は付勢力により下部閉塞部材１２を下部チャンネル部８２に支持し、下部閉塞部材１２を下部チャンネル部８２に収納させた状態で保持可能となっている。引きバネ３０は、一方端は固定部材３１により下部チャンネル部８２に接続されており、他方端が固定部材３２により下部閉塞部材１２に接続されている。
【００４８】
引きバネ３０は、両端部がリング状に形成されており、下部閉塞部材１２側の固定部材３２は、引きバネ３０の他方端を傾動可能に保持する保持片３２ａを備えている。下部チャンネル部８２側の固定部材３１は、引きバネ３０の一方端を傾動可能に保持する保持片３１ａと、当該保持片３１ａと下部閉塞部材１２の長手方向における保持片３２ａとの間に、前後方向に延びて配置される円柱状の案内片３３とを備えている。
【００４９】
下部チャンネル部８２側の保持片３１ａと下部閉塞部材１２側の保持片３２ａとは上下方向に離間しており、案内片３３は、上下方向においてこれら保持片３１ａ，３２ａ同士の間に配置されている。
【００５０】
引きバネ３０は、下部閉塞部材１２側では、下部チャンネル部８２側の保持片３１ａと下部閉塞部材１２側の保持片３２ａとの間に斜めに配置され、かつ下部チャンネル部８２側では、案内片３３と下部チャンネル部８２の下部閉塞部材１２側の面８２ａとの間に配置されている。
【００５１】
図７及び図８に示されるように、引きバネ３０は前述の進出動作時において伸長され、その弾性復帰により下部チャンネル部８２と下部閉塞部材１２とを近接せしめる付勢力を発揮することで、ローラ１９が傾斜片２１に案内される際のローラ１９と傾斜片２１との当接状態の維持に寄与できるとともに、ローラ１９は押しバネ２４と引きバネ３０により上下から付勢されることで振動が抑制され、傾斜片２１上をスムーズに移動でき、下部閉塞部材１２の進出動作時の操作性が高い。
【００５２】
また、閉塞状態では、押しバネ２４により下部閉塞部材１２は床面Ｆ側に圧接されているため、この状態でパネル本体２０を先行する間仕切パネル１’から引き離すように移動させることで、パネル本体２０と下部閉塞部材１２とが相対的に下部閉塞部材１２の長手方向に離間するように動作する。この動作により、前述の進出動作と反対に、ローラ１９がリンク機構１６の水平片２２から傾斜片２１に移動して下部閉塞部材１２の進出状態の保持が解除されるとともに、引きバネ３０により下部閉塞部材１２が下部チャンネル部８２方向に引き上げられ、簡単な操作で退行動作を完了させることができる。
【００５３】
また、押しバネ２４は、自由端側２４ａが水平に形成された水平片２２の凸部２２ｃの下部チャンネル部８２側の面２２ｄ（図６参照）に対して水平に摺動可能な構成となっており、リンク機構１６の平行リンクの作用により水平片２２が下部チャンネル部８２の長手方向に平行移動した際にも、押しバネ２４が折れ曲がらず、常に鉛直方向に付勢力を発揮することができる。
【００５４】
押しバネ２４の付勢力は、リンク機構１６の平行リンクの作用により間接的に傾斜片２１を初期位置まで立ち上げる力に変換され、ローラ１９を介して下部閉塞部材１２をパネル本体２０の左側に先端部が突出する方向に移動させるように機能し、引きバネ３０と協働して下部閉塞部材１２を初期位置に確実に復帰させるため、引きバネ３０の付勢力を小さくして、下部閉塞部材１２の進出動作時の操作性を高くできる。
【００５５】
また、引きバネ３０は、下部チャンネル部８２側の保持片３１ａと案内片３３との間では案内片３３に案内されて水平方向に伸縮し、案内片３３と下部閉塞部材１２側の保持片３２ａとの間では斜めに伸縮する構成であることから、引きバネ３０の全長を確保することで、付勢力が必要以上に大きくならないようにしつつ、長尺の引きバネ３０を配置するために必要な下部チャンネル部８２の上下寸法を小さくすることができる。
【００５６】
また、前述したように、ストッパー部材２５における規制片２５ｃが水平片２２のリンク片２３側の段部２２ｂの外側に重なって配置され、下部チャンネル部８２から離間するように付勢される水平片２２の移動を規制可能となっている。そのため、ローラ１９が案内される前における水平片２２と下部チャンネル部８２の下部閉塞部材１２側の面８２ａとの離間距離を一定に保持して、傾斜片２１の傾斜状態をローラ１９が案内され易い角度に保持することができ、下部閉塞部材１２の進出動作時の操作性を高めることができる。
【００５７】
また、傾斜片２１と水平片２２が平行リンクを構成しているため、平行リンクの作用により傾斜片２１の傾動に関わらずに水平片２２の角度を一定に保持でき、ローラ１９を水平片上に安定的に保持できる。
【００５８】
また、押しバネ２４を水平片２２と下部チャンネル部８２の下部閉塞部材１２側の面８２ａとの間に配置し、水平片２２を外方に押圧する構成としたことで、水平片２２を介してローラ１９に付勢力を伝達させ易く、ローラ１９にかかる負荷を効果的に吸収できる。
【００５９】
また、傾斜片２１に沿って案内される被案内部材としてローラ１９を採用したことで、傾斜片２１に被案内部材を案内させる際における抵抗を抑制し、下部閉塞部材１２の進出操作性を高めることができる。
【００６０】
また、下部閉塞部材１２が床面Ｆ若しくは床面Ｆ上の凸部Ｐ等に当接した状態で、更にパネル本体２０側に押し込まれた際には、水平片２２と下部閉塞部材１２の下部閉塞部材１２側の面８２ａとの離間距離が小さくなり、それに伴いリンク機構１６が平行リンクとして機能して、傾斜片２１の傾斜角度が浅くなる。これによれば、押しバネ２４を圧縮する際に抵抗が生じるものの、ローラ１９は浅い傾斜角度となった傾斜片２１にてスムーズに案内されるため、押しバネ２４の圧縮による下部閉塞部材１２の進出動作時の操作性の低下が実質的に抑制されている。
【実施例２】
【００６１】
次に、実施例２に係る間仕切パネルにつき、図９を参照して説明する。尚、前記実施例と同一構成で重複する構成の説明を省略する。
【００６２】
図９（ａ）に示されるように、進出機構５３では、傾斜片２１や水平片２２をローラ１９方向に付勢する付勢手段として、引きバネ５４を採用している。引きバネ５４は一方端が下部チャンネル部８２に対して固定部材５５により傾動可能に固定され、他方端がリンク片２３に固定部材５６により傾動可能に固定されている。
【００６３】
ローラ１９が傾斜片２１若しくは水平片２２に押圧されている状態においては、図９（ｂ）に示されるように、リンク片２３の傾動に伴い引きバネ５４が伸長し、弾性復帰力にてリンク片２３を戻す方向に傾動させるように付勢力を発揮し、傾斜片２１や水平片２２をローラ１９に付勢するようになっている。
【００６４】
以上、本発明の実施例を図面により説明してきたが、具体的な構成はこれら実施例に限られるものではなく、本発明の要旨を逸脱しない範囲における変更や追加があっても本発明に含まれる。
【００６５】
例えば、前記実施例では、ローラ装置１５，１５は下部閉塞部材１２に配設されており、リンク機構１６，１６は下部チャンネル部８２に配設されている構成で説明したが、これに限らず、例えばローラ装置１５，１５を下部チャンネル部８２に、リンク機構１６，１６を下部閉塞部材１２にそれぞれ配設してもよい。
【００６６】
また、前記実施例では、上部閉塞部材１１を進出させる進出機構と下部閉塞部材１２を進出させる進出機構とに同じ構成を採用する例を説明したが、これに限らず、上部閉塞部材側の進出機構は、下部閉塞部材１２側と異なる構成、例えば従来から利用されているリンク部材と捻りコイルバネとを備え、上部閉塞部材がパネル本体側に押し込まれることで、リンク部材が一端を中心として回動して立ち上がり上部閉塞部材を天井側に押し上げる進出機構を採用してもよい。
【００６７】
また、規制手段であるストッパー部材２５の規制片２５ｃは水平片２２に当接する構成に代えて、傾斜片２１に直接当接し、傾斜片２１の傾動を所定角度で規制する構成としてもよい。
【００６８】
また、傾斜片２１に沿って案内される被案内部材はローラに限らず、例えば低摩擦材を先端に備える部材を下部閉塞部材１２に固定することで構成してもよい。
【００６９】
また、傾斜片２１のローラ１９が案内される面は平面状に限らず、ローラ１９の外縁形状に合わせて凹む凹溝を備えていてもよく、これによれば、凹溝にてローラ１９を安定させ、下部閉塞部材１２の進出状態を保持することができる。この場合、傾斜片２１を付勢手段にて直接ローラ１９方向に付勢させ、かつストッパー部材２５の規制片２５ｃを傾斜片２１に直接当接させる構成とすることで、水平片２２とリンク片２３を省略し、傾斜片２１がリンク機構を構成しない構成としてもよい。
【００７０】
また、レール３は、天井側に配置されていれば、天井面Ｒに直接固定されていなくてもよい。
【符号の説明】
【００７１】
１，１’          間仕切パネル
３                レール
１０              移動間仕切装置
１１              上部閉塞部材（閉塞部材）
１２              下部閉塞部材（閉塞部材）
１３              進出機構
１５              ローラ装置（被案内部材）
１６              リンク機構
１９              ローラ（被案内部材）
２０              パネル本体
６２              上部チャンネル部
８２              下部チャンネル部
Ｃ                天井面
Ｆ                床面
２１              傾斜片
２２              水平片
２２ａ，２２ｂ    段部
２２ｃ            凸部
２３              リンク片
２４              押しバネ（付勢手段）
２４ａ            自由端側
２５              ストッパー部材
２５ｃ            規制片
２６              ヒンジ
３０              引きバネ
３３              案内片
５３              進出機構
５４              引きバネ（付勢手段）
Ｆ                床面
Ｐ                凸部
Ｒ                天井面
【図１】
2019135350.tif 000003
【図２】
2019135350.tif 000004
【図３】
2019135350.tif 000005
【図４】
2019135350.tif 000006
【図５】
2019135350.tif 000007
【図６】
2019135350.tif 000008
【図７】
2019135350.tif 000009
【図８】
2019135350.tif 000010
【図９】
2019135350.tif 000011